(57)【要約】【課題】  ＥＴＣの料金収受に伴って電子クーポンを取得するとともに、当該電子クーポンを利用できる店舗等の位置をカーナビゲーション装置の経路案内先としてユーザに選択させる。さらに、選択された店舗等の電子クーポンを携帯端末へ転送することで、当該施設や店舗への案内と電子クーポンの利用を可能にし、運転者や同乗者の利便性や満足度を向上させることができるＥＴＣ電子クーポン取得利用システムを提供する。【解決手段】カーナビゲーション装置１３は、ＥＴＣの料金収受に伴って電子クーポンを取得し、当該電子クーポンを利用することができる施設や店舗の位置をカーナビゲーション装置１３の経路案内先としてユーザに選択させる。そして、選択された施設や店舗の電子クーポンに関する情報を携帯電話１４へ転送することで、当該施設や店舗への案内と電子クーポンの利用とを可能にする。【選択図】      図１
2009069889.tif 000002
【特許請求の範囲】
【請求項１】
料金所コンピュータと、ＥＴＣ車載器と、ナビゲーション装置と、携帯端末とを備えたＥＴＣ電子クーポン取得利用システムであって、
前記料金所コンピュータは、
電子クーポンに関する情報が登録されているデータベースを記憶する記憶部と、
前記ＥＴＣ車載器からの問い合わせに応じて電子クーポンの格納状態や電子クーポンに関する情報を送信するサーバＥＴＣ通信処理部と
を備え、
前記ＥＴＣ車載器は、
前記料金所コンピュータから電子クーポンに関する情報のダウンロードを行うクライアントＥＴＣ通信処理部と、
ダウンロードした電子クーポンに関する情報を前記ナビゲーション装置へ転送するナビゲーション装置通信処理部と
を備え、
前記ナビゲーション装置は、
前記ＥＴＣ車載器から送信された電子クーポンに関する情報を受信するＥＴＣ車載器通信処理部と、
前記ＥＴＣ車載器から送信された電子クーポンに関する情報の一覧を表示するとともにユーザに選択させる表示制御部と、
ユーザによって選択された電子クーポンに対応する店舗の位置情報である緯度、経度を用いて、電子クーポンを利用することができる施設を経路案内先として登録して、案内を行うナビゲーション部と、
選択された電子クーポンに関する情報を前記携帯端末に転送する端末通信部と
を備えることを特徴とするＥＴＣ電子クーポン取得利用システム。
【発明の詳細な説明】
【技術分野】
【０００１】
本発明は、ＥＴＣ、カーナビゲーション装置、及び携帯端末を連携させた電子クーポンの取得利用システムに関するものである。
【背景技術】
【０００２】
近年、有料道路の料金所において、自動車を停車させることなく通行料金収受を行うことができるＥＴＣ(Electronic Toll Collection System)が普及しており、道路渋滞の緩和や料金割引サービスの導入等、道路交通利用の利便性が向上している。また、ＥＴＣ車載器とカーナビゲーション装置とのシステムを融合させることにより、カーナビゲーション装置に通行料金やＥＴＣ利用履歴を表示することができるため、ユーザの利便性も向上している。
【０００３】
その一方で、カーナビゲーション装置単体でも、ナビゲーションの使用前やナビゲーション使用中に出発地・現在地・経路・目的地周辺の店舗や施設を探索するとともに、当該探索結果を経路案内先としてユーザに選択させることで、ユーザの労力を削減し、操作性や利便性を向上させる機能を搭載している。
【０００４】
また、ＥＴＣを料金収受以外の用途に使う例としては、特許文献１に記載されているように、ＥＴＣゲートを通過して料金収受をする際に、ＥＴＣカードに電子クーポンをダウンロードするとともに、ＥＴＣカードをクーポンとして利用するという方法がある。また、カーナビゲーション装置が案内先を自動探索する例としては、特許文献２に記載されているように、施設の位置情報及び特典情報が入った記憶媒体をカーナビゲーション装置に挿入して、カーナビゲーション装置が当該記憶媒体を読み取ることによって、その施設への経路案内を行って特典を提供する方法がある。
【０００５】
【特許文献１】特許公開２００６−２９３９００
【特許文献２】特許公開２００１−３０４９０２
【発明の開示】
【発明が解決しようとする課題】
【０００６】
ところで、現在のところＥＴＣは有料道路の料金収受が主要な用途であり、更にＥＴＣ車載器と接続されたカーナビゲーション装置においても、その用途を補助するだけの機能しか搭載されていない。また、料金収受以外の用途としては、特許文献１に記載された技術のように、ＥＴＣカードに電子クーポンをダウンロードする方法もあるが、この方法ではＥＴＣカードを読み取ることができる施設や店舗でしか電子クーポンを利用することができない上に、施設の場所もユーザには分かりづらい。
【０００７】
本発明は、ＥＴＣの料金収受に伴って電子クーポンを取得するとともに、当該電子クーポンを利用することができる施設や店舗の位置をカーナビゲーション装置の経路案内先としてユーザに選択させる。さらに、選択された施設や店舗の電子クーポンを携帯端末へ転送することで、当該施設や店舗への案内と電子クーポンの利用を可能にし、運転者や同乗者の利便性や満足度を向上させることができるＥＴＣ電子クーポン取得利用システムを提供することを目的とする。
【課題を解決するための手段】
【０００８】
上記目的を達成するために、本発明のＥＴＣ電子クーポン取得利用システムは、料金所コンピュータと、ＥＴＣ車載器と、ナビゲーション装置と、携帯端末とを備えたＥＴＣ電子クーポン取得利用システムであって、前記料金所コンピュータは、電子クーポンに関する情報が登録されているデータベースを記憶する記憶部と、前記ＥＴＣ車載器からの問い合わせに応じて電子クーポンの格納状態や電子クーポンに関する情報を送信するサーバＥＴＣ通信処理部とを備え、前記ＥＴＣ車載器は、前記料金所コンピュータから電子クーポンに関する情報のダウンロードを行うクライアントＥＴＣ通信処理部と、ダウンロードした電子クーポンに関する情報を前記ナビゲーション装置へ転送するナビゲーション装置通信処理部とを備え、前記ナビゲーション装置は、前記ＥＴＣ車載器から送信された電子クーポンに関する情報を受信するＥＴＣ車載器通信処理部と、前記ＥＴＣ車載器から送信された電子クーポンに関する情報の一覧を表示するとともにユーザに選択させる表示制御部と、ユーザによって選択された電子クーポンに対応する店舗の位置情報である緯度、経度を用いて、電子クーポンを利用することができる施設を経路案内先として登録して、案内を行うナビゲーション部と、選択された電子クーポンに関する情報を前記携帯端末に転送する端末通信部とを備えることを特徴とする。
【発明の効果】
【０００９】
本発明のＥＴＣ電子クーポン取得利用システムによれば、次のような効果がある。
ＥＴＣの料金収受に伴って電子クーポンを取得し、それらを利用することができる施設や店舗の位置をカーナビゲーション装置の経路案内先としてユーザに選択させ、さらに選択された施設や店舗の電子クーポンを携帯端末へ転送することで、当該施設や店舗への案内と電子クーポンの利用を可能にし、運転者や同乗者の利便性や満足度を向上させることができる。
【発明を実施するための最良の形態】
【００１０】
以下、本発明を適用したＥＴＣ電子クーポン取得利用システムの一実施形態について説明する。
図１に示すように、本実施形態におけるＥＴＣ電子クーポン取得利用システムは、料金所コンピュータ１１、自動車に搭載されているＥＴＣ車載器１２及びナビゲーション装置１３、そして携帯端末としての携帯電話１４を備えて構成されている。
【００１１】
料金所コンピュータ１１は、電子クーポンに関する情報である電子クーポンデータベース１５および各種情報が記憶された記憶部１６、ＥＴＣ車載器１２からの問い合わせに応じて電子クーポンの格納状態や電子クーポンに関する情報を送信するなど、ＥＴＣ通信の処理を行うサーバＥＴＣ通信処理部１７、ＥＴＣ通信を行うサーバＥＴＣアンテナ１８を備える。
【００１２】
ＥＴＣ車載器１２は、料金所コンピュータ１１と料金収受通信及び電子クーポンに関する情報のダウンロード通信を行うクライアントＥＴＣ通信処理部１９、ナビゲーション装置１３へ料金収受情報やダウンロードした電子クーポンに関する情報を転送する通信処理を実行するカーナビゲーション装置通信処理部２０、クライアントＥＴＣアンテナ２１を備えている。ＥＴＣ車載器１２は、ナビゲーション装置１３と通信可能に接続されている。
【００１３】
ナビゲーション装置１３は、ＥＴＣ車載器１２から料金収受情報や電子クーポンに関する情報を受け取る通信処理を実行するＥＴＣ車載器通信処理部２２、モニタ２３、ユーザに電子クーポンを選択させる表示制御部２４、電子クーポンの位置情報を元に経路案内を行うナビゲーション部２５、携帯電話通信処理部２６、ＧＰＳアンテナ２７を備えている。また、ナビゲーション装置１３は、携帯電話１４へ電子クーポンを転送するために、端末通信部としてのＲＦＩＤ（Radio Frequency Identification）リーダ／ライタ２８や、リムーバブルメディアリーダ／ライタ２９や、接続ケーブル３１を接続することができる。
【００１４】
携帯電話１４は、ＲＦＩＤリーダ／ライタ２８、またはリムーバブルメディアリーダ／ライタ２９を使って電子クーポンに関する情報を書き込んだリムーバブルメディア３０、または接続ケーブル３１を介して、電子クーポンに関する情報をナビゲーション装置１３から受け取る。そして、該当する施設においては電子クーポンの表示や送信を実行することができる。
なお、ＥＴＣ車載器１２、ナビゲーション装置１３、ＲＦＩＤリーダ／ライタ２８、リムーバブルメディアリーダ／ライタ２９、接続ケーブル３１は、車両３２に搭載されている。
【００１５】
次に、電子クーポンのデータ構成について説明する。
図２に示すように、本実施形態における電子クーポンのデータ３３は、電子クーポンのクーポン名、電子クーポンを利用することができる施設名、電子クーポンを利用することができる施設の緯度及び経度、電子クーポンを利用することができる施設の住所、電子クーポンを利用することができる施設の電話番号、電子クーポンの特典内容、電子クーポンを利用することができる有効期限を有する。
【００１６】
次に、料金所コンピュータ１１の電子クーポンデータベース１５に登録されている電子クーポンの格納状態の一例について説明する。
図３に示すように、料金所コンピュータ１１の電子クーポンデータベース１５では、図２に示した電子クーポンのデータ３３と同等の内容であるクーポン名、施設名、緯度、経度、住所、電話番号、特典内容、有効期限がＩＤによって管理されている。なお、これらの情報は、地域の店舗の希望や有効期限等により随時更新されるものであることは言うまでもない。
【００１７】
次に、ＥＴＣ電子クーポン取得利用システムを利用して料金所を通過した場合におけるＥＴＣ車載器１２の内部処理について説明する。
図４に示すように、クライアントＥＴＣ通信処理部１９は、まず、料金所コンピュータ１１との通信を行うため、無線通信の開始処理を行う（ステップＳ４１）。次に、通常のＥＴＣ通過時の処理である料金収受処理を行い、その結果が料金所コンピュータ１１の記憶部１６に保存される（ステップＳ４２）。
【００１８】
次に、クライアントＥＴＣ通信処理部１９は、料金所コンピュータ１１に対して、ダウンロード可能な電子クーポンが存在するか否かの問い合わせを行うとともに、存在するか否かの判定を行う（ステップＳ４３）。このとき、料金所コンピュータ１１のサーバＥＴＣ通信処理部１７は、ダウンロード可能な電子クーポンが存在する場合、存在する旨の情報をＥＴＣ車載器１２へ送信する。
【００１９】
電子クーポンが存在すると判定された場合には電子クーポンに関する情報のダウンロードを行う（ステップＳ４４）。このとき、料金所コンピュータ１１のサーバＥＴＣ通信処理部１７は、対応する電子クーポンに関する情報をＥＴＣ車載器１２へ送信する。一方、電子クーポンが存在しないと判定された場合にはダウンロード処理は行われない。そして、クライアントＥＴＣ通信処理部１９は、料金所コンピュータ１１との無線通信の終了処理を行う（ステップＳ４５）。
【００２０】
その後、ナビゲーション装置通信処理部２０は、保存していた情報に基づいてナビゲーション装置１３へ料金収受情報を転送する（ステップＳ４６）。次に、クライアントＥＴＣ通信処理部１９は、電子クーポンをダウンロードしたか否かの判定を行う（ステップＳ４７）。クライアントＥＴＣ通信処理部１９が電子クーポンをダウンロードしている場合には保存していた電子クーポンをナビゲーション装置１３へ転送する（ステップＳ４８）。一方、クライアントＥＴＣ通信処理部１９が電子クーポンをダウンロードしていない場合にはそのまま処理を終了する。
【００２１】
次に、ナビゲーション装置１３において、ＥＴＣ車載器１２から転送された電子クーポンの一覧をユーザに示す処理について説明する。
図５に示すように、ＥＴＣ車載器通信処理部２２は、まず、ＥＴＣ車載器１２から送信された料金収受情報を受信して図示しない磁気ディスク等の記憶手段に保存する（ステップＳ５１）。次に、電子クーポンに関する情報がＥＴＣ車載器１２から送信されたか否かを判定する（ステップＳ５２）。
【００２２】
電子クーポンに関する情報が送信されたと判定した場合には、ＥＴＣ車載器通信処理部２２は、当該電子クーポンに関する情報を受信して記憶手段に保存する（ステップＳ５３）。
その後、表示制御部２４は、保存してあった料金収受情報をモニタ２３に表示する（ステップＳ５４）。次に、表示制御部２４は、電子クーポンに関する情報が記憶手段に保存されているか否かを判定する（ステップＳ５５）。保存されていると判定した場合には、当該電子クーポンの一覧をモニタ２３に表示する（ステップＳ５６）。一方、保存されていないと判定した場合には、そのまま処理を終了する。
【００２３】
次に、ナビゲーション装置１３において、電子クーポンの一覧をモニタ２３に表示した状態（図５）から、電子クーポンをユーザに選択させる際の処理について説明する。
図６に示すように、ユーザに電子クーポンが選択されると、表示制御部２４は選択された電子クーポンから緯度及び経度に関する情報を抽出する（ステップＳ６１）。そして、ナビゲーション部２５に対して経路案内先として当該緯度及び経度を登録するよう指示する（ステップＳ６２）。
【００２４】
次に、表示制御部２４はモニタ２３に、ユーザに対して「選択された電子クーポンを携帯電話へ転送するか」という旨のメッセージを表示する（ステップＳ６３）。
その後、携帯電話通信処理部２６は「選択された電子クーポンを携帯電話へ転送するかどうか」という旨のメッセージに対するユーザの選択結果を判定する（ステップＳ６４）。ユーザによって携帯電話１４への転送を拒否された場合、電子クーポンに関する情報の転送を行わず、ナビゲーション部２５はステップＳ６１で登録された経路案内先への経路案内を開始する（ステップＳ６８）。
【００２５】
一方、ステップＳ６４にて、ユーザによって携帯電話１４への転送を許可された場合、携帯電話通信処理部２６は、まず、携帯電話１４へ電子クーポンを転送する為の準備ができているか否かの判定を行う（ステップＳ６５）。ここでいう準備とは、ＲＦＩＤリーダ／ライタ２８またはリムーバブルメディアリーダ／ライタ２９が接続されている、もしくは接続ケーブル３１を介して携帯電話１４が接続されていることを指す。
【００２６】
ステップＳ６５にて電子クーポンに関する情報を転送する為の準備ができていなければ、表示制御部２４はモニタ２３に「電子クーポンを転送する為の準備ができていない」という旨の表示を行い（ステップＳ６６）、再びステップＳ６３へ戻る。一方、ステップＳ６５において電子クーポンを転送するための準備ができている場合には、リムーバブルメディアリーダ／ライタ２９を介してリムーバブルメディア３０へ電子クーポンに関する情報を転送するか、あるいは接続ケーブル３１を介して携帯電話１４へ電子クーポンに関する情報を転送する（ステップＳ６７）。その後、ナビゲーション部２５はステップＳ６１で登録された経路案内先への経路案内を開始する（ステップＳ６８）。
【００２７】
以上のように、本実施形態のＥＴＣ電子クーポン取得利用システムによれば、次のような効果がある。
・ＥＴＣの料金収受に伴って電子クーポンを取得し、当該電子クーポンを利用することができる施設や店舗の位置をカーナビゲーション装置の経路案内先としてユーザに選択させ、さらに選択された施設や店舗の電子クーポンを携帯端末へ転送することで、当該施設や店舗への案内と電子クーポンの利用を可能にする。これにより、運転者や同乗者の利便性や満足度を向上させることができる。
【図面の簡単な説明】
【００２８】
【図１】本発明の一実施形態を示すシステム構成図。
【図２】本発明で使用する電子クーポンのデータ構成図。
【図３】料金所コンピュータの電子クーポンデータベースに登録されている電子クーポンのデータ構成図。
【図４】料金所通過時におけるＥＴＣ車載器の内部処理を示すフローチャート。
【図５】ナビゲーション装置において、ＥＴＣ車載器から転送された電子クーポンをユーザに示す処理のフローチャート。
【図６】ナビゲーション装置において、電子クーポンをユーザに選択させた際のフローチャート。
【符号の説明】
【００２９】
１１…料金所コンピュータ、１２…ＥＴＣ車載器、１３…ナビゲーション装置、１４…携帯端末としての携帯電話、１５…電子クーポンデータベース、１６…記憶部、１７…サーバＥＴＣ通信処理部、１９…クライアントＥＴＣ通信処理部、２０…ナビゲーション装置通信処理部、２２…ＥＴＣ車載器通信処理部、２４…表示制御部、２５…ナビゲーション部、２８…端末通信部としてのＲＦＩＤリーダ／ライタ、２９…端末通信部としてのリムーバブルメディアリーダ／ライタ。
【図１】
2009069889.tif 000003
【図２】
2009069889.tif 000004
【図３】
2009069889.tif 000005
【図４】
2009069889.tif 000006
【図５】
2009069889.tif 000007
【図６】
2009069889.tif 000008